(57)【要約】【課題】  桶胴太鼓の軽量化を阻害することなく、胴木口を補強し、革面の縁の部分を打つリムショット奏法に対して、胴木口が損傷を受けることを防止できると共に、音響も良好な桶胴太鼓とする。【解決手段】  胴木口の口端面に当着する口端面当着部５ａと、口端面当着部５ａと連続し胴木口の内側面に当着する側面当着部５ｂを有する断面が略Ｌ字形のリング枠５を、胴２の両端の胴木口に嵌着する。【選択図】  図２
0003108280.tif 000002
【実用新案登録請求の範囲】
【請求項１】
胴木口の口端面に当着する口端面当着部と、この口端面当着部と連続し胴木口の側面に当着する側面当着部を有するリング枠が、胴の両端の胴木口に嵌着されていることを特徴とする桶胴太鼓。
【請求項２】
側面当着部は胴木口の内側面又は外側面に当着する側面当着部であり、リング枠は断面が略Ｌ字形に形成されていることを特徴とする請求項１記載の桶胴太鼓。
【請求項３】
側面当着部は胴木口の両側面に当着する側面当着部であり、リング枠は断面が略コ字形に形成されていることを特徴とする請求項１記載の桶胴太鼓。
【請求項４】
胴が桐材であることを特徴とする請求項１から３のいずれかに記載の桶胴太鼓。
【請求項５】
リング枠は繊維強化プラスチック製又は金属製、或いは硬質木材製であることを特徴とする請求項１から４のいずれかに記載の桶胴太鼓。
【考案の詳細な説明】
【技術分野】
【０００１】
本考案は、太鼓の中でも軽量な桶胴太鼓に係り、詳しくは、桶胴太鼓の胴木口の損傷を防止した桶胴太鼓に関するものである。
【背景技術】
【０００２】
胴の両端の革が紐締めされている桶胴太鼓は、太鼓の軽量化を図るため、通常は杉材の板を用いている。
近年は、この桶胴太鼓を肩からストラップで吊り下げて打つ「かつぎ桶」が盛んで、その活動は子供にも広がっているのである。
【０００３】
そのため、携帯して動きが自由容易となる桶胴太鼓が要望されていることに鑑み、重量のより軽量化を図ると共に、加工性に優れて高精度を維持でき、使用感・音響が良好な桶胴太鼓とするため、材質を桐材とした桶胴太鼓が本出願人が実用新案登録第３０９７２１９号として提案している。
【０００４】
しかし、近年流行している「リムショット奏法」と称し、革面の縁の部分を打ち奏法では、長期に亘って胴木口に桴の打撃を受けると、特に桐材等軟質材では木口が凹む等の損傷を受け、胴と革との間に隙間が生じ、打撃を受けると摩擦によってノイズが発生し、音響に悪影響を及ぼす問題点を有している。
【０００５】
この問題点を解消するため、従来の和太鼓で胴体の外側の縁部に桴当て部材を取り付けて桴音効果を高めると共に、太鼓自体の損傷を防いだものとして、実用新案登録第３０９４５４６号の和太鼓が提案されている。
【０００６】
この和太鼓は、和太鼓の外側の側縁に半円弧状の桴当て部材を取り付けたもので、太鼓は胴の両端の革が鋲止めされた長胴太鼓であって、胴の両端の革が紐締めされている桶胴太鼓では、胴の外周に紐が張設されているので、胴の外側に桴当て部材を取り付けることは不可能である。
【考案の開示】
【考案が解決しようとする課題】
【０００７】
上記点より、本考案は桶胴太鼓の軽量化を阻害することなく胴木口を補強し、革面の縁の部分を打つリムショット奏法に対して、胴木口が損傷を受けることを防止できると共に、音響も良好な桶胴太鼓を提供しようとするものである。
【課題を解決するための手段】
【０００８】
上記課題を解決するため請求項１記載の本考案桶胴太鼓は、胴木口の口端面に当着する口端面当着部と、この口端面当着部と連続し胴木口の側面に当着する側面当着部を有するリング枠が、胴の両端の胴木口に嵌着されていることを特徴とするものである。
【０００９】
このような構成とすることにより、胴木口に口端面当着部と側面当着部を有するリング枠が嵌着し、このリング枠により胴木口の口端面が補強され保護されているため、長期に亘って桴による打撃に耐え、胴木口が凹む等の損傷を受けることが防止される。又、これにより胴と革との摩擦によって生ずるノイズの発生が防止される。
【００１０】
又、胴木口にリング枠を嵌着するだけのものであるため、軽量で太鼓の重量に殆ど影響がないと共に装着も容易である。
【００１１】
次に、請求項２記載の本考案桶胴太鼓は、請求項１記載の桶胴太鼓において、側面当着部は胴木口の内側面又は外側面に当着する側面当着部であり、リング枠は断面が略Ｌ字形に形成されていることを特徴とするものである。
【００１２】
このような構成とすることにより、側面当着部が胴木口の内側面又は外側面の何れの面に当着しても、リング枠は胴木口に嵌着できる。
【００１３】
次に、請求項３記載の本考案桶胴太鼓は、請求項１記載の桶胴太鼓において、側面当着部は胴木口の両側面に当着する側面当着部であり、リング枠は断面が略コ字形に形成されていることを特徴とするものである。
【００１４】
このような構成とすることにより、リング枠は胴木口に確実に嵌着できる。
【００１５】
次に、請求項４記載の本考案桶胴太鼓は、請求項１から３のいずれかに記載の桶胴太鼓において、胴が桐材であることを特徴とするものである。
【００１６】
このような構成とすることにより、太鼓は材質が軟質材であるが最も軽量であり、胴木口がリング枠により補強されているため、長期に亘っての桴による打撃に耐え、胴木口が凹む等の損傷を受けることが防止される。
又、これにより胴と革との摩擦によって生ずるノイズの発生が防止され、軽量で丈夫な最適な太鼓となる。
【００１７】
次に、請求項５記載の本考案桶胴太鼓は、請求項１から４のいずれかに記載の桶胴太鼓において、リング枠は繊維強化プラスチック製又は金属製、或いは硬質木材製であることを特徴とするものである。
【００１８】
このような構成とすることにより、何れの材質でもリング枠は桶胴太鼓の胴木口を補強し保護する機能を発揮することができる。
【考案の効果】
【００１９】
請求項１記載の本考案桶胴太鼓によれば、胴木口に口端面当着部と側面当着部を有するリング枠が嵌着し、このリング枠により胴木口の口端面が補強され保護されているため、長期に亘っての桴による打撃に耐え、胴木口が凹む等の損傷を受けることが防止され、革面の縁の部分を打つリムショット奏法に対処することが可能となる効果を有する。
【００２０】
又、胴木口が凹む等の損傷を受けることがないので、胴と革との間に隙間が生じることがなく、打撃を受けても胴と革との摩擦によるノイズの発生が防止され、音響も良好なものとなり、桴音による効果が一層増大する。
【００２１】
更に、胴木口にリング枠を嵌着するだけのものであるから、軽量で太鼓の重量に殆ど影響がないと共に、装着も容易でビス等の止着部材で胴部に止着しないので、音色等に悪影響を及ぼすことがない効果を有する。
【００２２】
次に、請求項２及び請求項３記載の本考案桶胴太鼓によれば、側面当着部が胴木口の内側面又は外側面、或いは両側面の何れに当着してもリング枠を容易に胴木口に嵌着が可能である。
【００２３】
次に、請求項４記載の本考案桶胴太鼓によれば、桐材は軟質であるが最も軽量であり、かつ加工が容易で、収縮膨張が小さいため狂いも少なく、高精度を維持でき、この胴木口がリング枠により補強され保護されているため、長期に亘っての桴による打撃に耐え得るので、胴木口が凹む等の損傷を受けることが防止され、軽量で丈夫な最適の桶胴太鼓となる効果を有する。
【００２４】
次に、請求項５記載の本考案桶胴太鼓によれば、リング枠は繊維強化プラスチック製、金属製、軟質木材等の何れの材質であっても、桶胴太鼓の胴木口を補強し保護する効果を有する。
【考案を実施するための最良の形態】
【００２５】
以下、本考案の一実施の形態を添付図面を参照して説明する。
図１は本考案桶胴太鼓の一実施の形態を示す斜視図、図２は図１の断面図、図３はリング枠の斜視図である。
【００２６】
図１乃至図３において、桶胴太鼓１は胴２と、胴２の両端に当着した革３、３と、革３、３を胴２に当着固定する紐４と、胴木口に嵌着するリング枠５を具備している。
【００２７】
胴２は桐材を柾目取りし、乾燥後に所定の長さに切断した板材を桶状に組み、真竹で編んだタガ６をはめて締め付ける。そして、このようにして形成した胴２の両端の胴木口にリング枠５を嵌着する。
【００２８】
リング枠５は胴木口の口端面に当着する口端面当着部５ａと、この口端面当着部５ａと連続し胴木口の内側面に当着する側面当着部５ｂを有する断面が略Ｌ字形のリングに形成されている。
リング枠５は側面当着部５ｂが胴木口の内側面に嵌着することにより固定され、口端面当着部５ａが胴木口の口端面に当着して口端面を補強し保護する。
【００２９】
又、嵌着されたリング枠５は、図２に示すように表面の内径側が厚く、外径側が薄く傾斜面に形成され、Ｌ字形の外角部５ｃはアールが形成され、外角部５ｃが革３面に接触するようになっている。又、リング枠５は繊維強化プラスチック（ＦＲＰ）製で重量が約１５０グラムである。
尚、リング枠５の材質は繊維強化プラスチック製に限らず、金属製或いは樫、欅等の硬質木材製でも良い。
【００３０】
図４及び図５はリング枠５の他の実施の形態を示す断面図であり、図４はリング枠５をの側面当着部５ｂが胴木口の外側面に嵌着する断面が略Ｌ字形のリング枠５を示したものである。このような形状のリング枠５であっても、胴木口の内側面に嵌着するリング枠５と同様の機能を有する。
【００３１】
図５は、リング枠５の側面当着部５が胴木口の両側面に嵌着する断面が略コ字形のリング枠５を示したものである。このような形状のリング枠５であっても、胴木口の内側面に嵌着するリング枠５と同様の機能を有する。
【００３２】
次に、革３は金属製の革張りリング７に張設してあり、革張りリング７は胴２の外周より大径で、革張りリング７上に革３を張り置き、革張りリング７に沿って周囲を折り返し、折り返し端部と表面とを縁に当革８を介在して縫着９、９して形成する。
【００３３】
縫着９、９は革張りリング７の内径に沿った位置と、胴２の外径に沿った位置になされ、更に、革張りリング７の内径に沿って適宜間隔で紐４の挿通孔１０、１０…が開けられている。革３は黒毛和牛なめし革を使用するのが好ましい。
【００３４】
このようにして、胴２の両端に当てた革３を一本の紐４で紐締めする。紐締めは従来通りの方法で、紐４を一方の胴端の革３の挿通孔１０から他方の胴端の革３の挿通孔１０に挿通し、折り返した紐４は元の一方の革３の隣の挿通孔１０に挿通し、以下、両革３、３の挿通孔１０、１０間に交互に繰り返し胴２に沿って一巡する。
【００３５】
そして、同一の紐４で二巡目に胴２の略中央部を挾んで左右両側に、図１に示すように挿通孔９から折り返されている二重の紐４を一緒に巻いて、左右交互に順次編結し緊締する。
【００３６】
胴端に当着された革３、３は紐４の緊締度合いによって張り具合が影響を受けると同時に、桴で打った音色も異なったものとなる。
【００３７】
以上、本考案を実施形態に基づき具体的に説明したが、本考案は上記実施形態に何ら限定されるものではなく、例えば桶胴太鼓であれば、胴は木材の幹を輪切りにし、中を刳り抜いたものでも良く、又胴の材質は桐に限らず杉材等でも良く、更に革の紐締め方法も変えても良く、胴の形状も胴の外周が同一径のものでも良い等、本考案の趣旨を逸脱しない範囲内において種々の改良、変形が可能である。
【図面の簡単な説明】
【００３８】
【図１】本考案桶胴太鼓の一実施の形態を示す斜視図である。
【図２】図１の断面図である。
【図３】リング枠の斜視図である。
【図４】リング枠の他の実施の形態を示す断面図である。
【図５】リング枠の他の実施の形態を示す断面図である。
【符号の説明】
【００３９】
１  桶胴太鼓
２  胴
３  革
４  紐
５  リング枠
５ａ  リング枠の口端面当着部
５ｂ  リング枠の側面当着部
５ｃ  リング枠の外角部
７  革張りリング
【図１】
0003108280.tif 000003
【図２】
0003108280.tif 000004
【図３】
0003108280.tif 000005
【図４】
0003108280.tif 000006
【図５】
0003108280.tif 000007